(57)【要約】【課題】コンテンツデータに関する属性を示すタグ情報の追加を容易にしたタグ情報管理装置、タグ情報管理システム、タグ情報管理プログラム、タグ情報管理方法を提供する。【解決手段】セットトップボックス１０は、画像データに付与されている既存タグ情報を抽出し、当該既存タグ情報に関連する新規タグ情報を生成する。例えば、セットトップボックス１０は、既存タグ情報である撮影日時やジオタグに基づいて、撮影位置の施設において撮影日時に実施されたイベントを認識し、新規タグ情報の生成に利用する。また、セットトップボックス１０は、画像認識処理により、被写体であるユーザを認識し、当該ユーザの情報を、新規タグ情報の生成に利用する。更に、セットトップボックス１０は、新規タグ情報を画像データに付与する。【選択図】図１
2012093991.tif 000002
【特許請求の範囲】
【請求項１】
コンテンツデータに関する属性を示すタグ情報を管理するタグ情報管理装置であって、
前記コンテンツデータに付与されている既存のタグ情報を抽出する抽出部と、
前記抽出部により抽出された前記既存のタグ情報に関連する新たなタグ情報を生成する生成部と、
前記生成部により生成された前記新たなタグ情報を前記コンテンツデータに付与する付与部と
を備えるタグ情報管理装置。
【請求項２】
前記生成部は、前記既存のタグ情報と、ユーザの情報とに基づいて、前記新たなタグ情報を生成する請求項１に記載のタグ情報管理装置。
【請求項３】
前記生成部は、前記コンテンツデータが画像データである場合に、前記画像データに基づく画像認識処理によって特定されるユーザのユーザ情報に基づいて、前記新たなタグ情報を生成する請求項２に記載のタグ情報管理装置。
【請求項４】
前記生成部は、前記既存タグ情報に基づいて、前記コンテンツデータに関連する第１の関連情報を取得し、前記第１の関連情報に基づいて、前記新たなタグ情報を生成する請求項１乃至３の何れかに記載のタグ情報管理装置。
【請求項５】
前記生成部は、前記コンテンツデータが画像データである場合に、前記画像データに基づく画像認識処理によって得られ、前記画像データに関連する第２の関連情報を取得し、前記第２の関連情報に基づいて、前記新たなタグ情報を生成する請求項１乃至３の何れかに記載のタグ情報管理装置。
【請求項６】
コンテンツデータに関する属性を示すタグ情報を管理するタグ情報管理システムであって、
前記コンテンツデータに付与されている既存のタグ情報を抽出する抽出部と、
前記抽出部により抽出された前記既存のタグ情報に関連する新たなタグ情報を生成する生成部と、
前記生成部により生成された前記新たなタグ情報を前記コンテンツデータに付与する付与部と
を備えるタグ情報管理システム。
【請求項７】
コンテンツデータに関する属性を示すタグ情報を管理するコンピュータに、
前記コンテンツデータに付与されている既存のタグ情報を抽出するステップと、
抽出された前記既存のタグ情報に関連する新たなタグ情報を生成するステップと、
生成された前記新たなタグ情報を前記コンテンツデータに付与するステップと
を含むタグ情報管理プログラム。
【請求項８】
コンテンツデータに関する属性を示すタグ情報を管理するタグ情報管理装置におけるタグ情報管理方法であって、
前記コンテンツデータに付与されている既存のタグ情報を抽出するステップと、
抽出された前記既存のタグ情報に関連する新たなタグ情報を生成するステップと、
生成された前記新たなタグ情報を前記コンテンツデータに付与するステップと
を含むタグ情報管理方法。
【発明の詳細な説明】
【技術分野】
【０００１】
本発明は、コンテンツデータに関する属性を示すタグ情報を管理するタグ情報管理装置、タグ情報管理システム、タグ情報管理プログラム、タグ情報管理方法に関する。
【背景技術】
【０００２】
近年、記録媒体の低廉化等に伴い、ユーザは、大量の画像データ、音声データ、文書データ等のコンテンツデータを保有するようになっている。このため、大量のコンテンツデータの適切な管理が求められている。
【０００３】
例えば、特許文献１の記載は、同一の属性を示す撮影画像を、まとめて１つの記録用フォルダに記録する方法を開示しており、撮影画像の管理を容易にしている。
【先行技術文献】
【特許文献】
【０００４】
【特許文献１】特開２００４−３１２２４４号公報
【発明の概要】
【発明が解決しようとする課題】
【０００５】
しかしながら、上述した特許文献１に記載の技術が用いられる場合においても、管理をより適切に行うために、撮影画像の属性を追加しようとする場合には、人手に頼らざるを得ず、煩雑である。
【０００６】
上記問題点に鑑み、本発明は、コンテンツデータに関する属性を示すタグ情報の追加を容易にしたタグ情報管理装置、タグ情報管理システム、タグ情報管理プログラム、タグ情報管理方法を提供することを目的とする。
【課題を解決するための手段】
【０００７】
上述した課題を解決するために、本発明は以下のような特徴を有している。
【０００８】
本発明の特徴は、コンテンツデータに関する属性を示すタグ情報を管理するタグ情報管理装置（セットトップボックス１０）であって、前記コンテンツデータに付与されている既存のタグ情報を抽出する抽出部（既存タグ情報抽出部１５４）と、前記抽出部により抽出された前記既存のタグ情報に関連する新たなタグ情報を生成する生成部（新規タグ情報生成部１５６）と、前記生成部により生成された前記新たなタグ情報を前記コンテンツデータに付与する付与部（新規タグ情報付与部１５８）とを備えることを要旨とする。
【０００９】
このようなタグ情報管理装置は、コンテンツデータに付与されている既存のタグ情報を抽出し、当該既存のタグ情報に関連する新たなタグ情報を生成して、コンテンツデータに付与する。従って、コンテンツデータに関する属性を示すタグ情報の追加が容易になる。
【００１０】
本発明の特徴は、前記生成部は、前記既存のタグ情報と、前記コンテンツデータに関連するユーザの情報との組み合わせに基づいて、前記新たなタグ情報を生成することを要旨とする。
【００１１】
本発明の特徴は、前記生成部は、前記コンテンツデータに関連するユーザの情報に基づいて新たなユーザの情報を生成し、前記新たなユーザの情報に基づいて、前記新たなタグ情報を生成することを要旨とする。
【００１２】
本発明の特徴は、コンテンツデータに関する属性を示すタグ情報を管理するタグ情報管理システムであって、前記コンテンツデータに付与されている既存のタグ情報を抽出する抽出部と、前記抽出部により抽出された前記既存のタグ情報に関連する新たなタグ情報を生成する生成部と、前記生成部により生成された前記新たなタグ情報を前記コンテンツデータに付与する付与部とを備えることを要旨とする。
【００１３】
本発明の特徴は、コンテンツデータに関する属性を示すタグ情報を管理するコンピュータに、前記コンテンツデータに付与されている既存のタグ情報を抽出するステップと、抽出された前記既存のタグ情報に関連する新たなタグ情報を生成するステップと、生成された前記新たなタグ情報を前記コンテンツデータに付与するステップとを含むタグ情報管理プログラムである。
【００１４】
本発明の特徴は、コンテンツデータに関する属性を示すタグ情報を管理するタグ情報管理装置におけるタグ情報管理方法であって、前記コンテンツデータに付与されている既存のタグ情報を抽出するステップと、抽出された前記既存のタグ情報に関連する新たなタグ情報を生成するステップと、生成された前記新たなタグ情報を前記コンテンツデータに付与するステップとを含むことを要旨とする。
【発明の効果】
【００１５】
本発明によれば、コンテンツデータに関する属性を示すタグ情報の追加が容易になる。
【図面の簡単な説明】
【００１６】
【図１】本発明の実施形態に係るセットトップボックスの構成図である。
【図２】本発明の実施形態に係る画像データの構造を示す図である。
【図３】ユーザ情報の一例を示す図である。
【図４】ランドマーク・イベント情報の一例を示す図である。
【図５】新規タグ情報生成の一例を示す図である。
【図６】本発明の実施形態に係るセットトップボックスの動作を示すフローチャートである。
【図７】本発明の他の実施形態に係るコンテンツ管理システムの全体概略構成図である。
【発明を実施するための形態】
【００１７】
次に、図面を参照して、本発明の実施形態を説明する。具体的には、セットトップボックスの構成、セットトップボックスの動作、作用・効果、その他の実施形態について説明する。以下の実施形態における図面の記載において、同一又は類似の部分には同一又は類似の符号を付している。
【００１８】
（１）セットトップボックスの構成
図１は、コンテンツ管理装置としてのセットトップボックス１０の構成図である。図１に示すセットトップボックス１０は、図示しない外部の装置であるデジタルカメラから送信される画像データを管理する。セットトップボックス１０は、制御部１００、通信部１１０、記憶部１２０を含んで構成される。
【００１９】
制御部１００は、例えばＣＰＵによって構成され、セットトップボックス１０が具備する各種機能を制御する。
【００２０】
通信部１１０は、例えばＬＡＮカードであり、ＭＡＣ（Media Access Control）アドレスが付与されている。通信部１１０は、外部との通信を行う通信インタフェースであり、外部の通信装置との間で、通信ネットワークを介した通信を行う。記憶部１２０は、例えば、ＮＡＮＤフラッシュメモリによって構成され、セットトップボックス１０における制御などに用いられる各種情報を記憶する。
【００２１】
制御部１００は、画像データ記憶処理部１５２、既存タグ情報抽出部１５４、新規タグ情報生成部１５６及び新規タグ情報付与部１５８を含んで構成される。
【００２２】
画像データ記憶処理部１５２は、デジタルカメラから送信されるコンテンツデータとしての画像データを、通信部１１０を介して受信する。更に、画像データ記憶処理部１５２は、受信した画像データを記憶部１２０に記憶させる。
【００２３】
図２は、画像データの構造を示す図である。図２に示す画像データは、ヘッダと、ＪＰＥＧ（Joint Photographic Experts Group）データとにより構成される。
【００２４】
ヘッダには、画像データの属性を示す既存タグ情報が含まれている。既存タグ情報は、デジタルカメラによって撮影時に付与される、画像データの属性を示す情報である。本実施形態では、既存タグ情報は、撮影日時の情報と、撮影位置の緯度、経度及び高度の情報（ジオタグ）である。
【００２５】
また、ヘッダには、Ｅｘｉｆ（Exchangeable image file format）領域が含まれる。Ｅｘｉｆ領域には、後述する新規タグ情報が含まれる。
【００２６】
再び、図１に戻って説明する。既存タグ情報抽出部１５４は、記憶部１２０に記憶された画像データから既存タグ情報を抽出する。
【００２７】
新規タグ情報生成部１５６は、既存タグ情報以外の新たなタグ情報（新規タグ情報）を生成する。具体的には、新規タグ情報生成部１５６は、以下のようにして新規タグ情報を生成する。
【００２８】
新規タグ情報生成部１５６は、記憶部１２０から画像データを読み出す。新規タグ情報生成部１５６は、画像認識処理を行う。ここで、画像認識処理は、被写体であるユーザの特定、画像データに対応する画像に含まれる文字列の特定、画像データに対応する画像のシーンの特定の少なくとも何れかである。なお、新規タグ情報生成部１５６は、被写体であるユーザの特定については、画像認識処理によらず、例えば、予め定められたユーザを特定するようにしてもよい。
【００２９】
被写体であるユーザを特定する場合には、新規タグ情報生成部１５６は、記憶部１２０内のユーザ情報ＤＢ（データベース）１２２に記憶されているユーザ情報を読み出す。
【００３０】
図３は、記憶部１２０内のユーザ情報ＤＢに記憶されているユーザ情報の一例を示す図である。図３に示すユーザ情報は、当該ユーザの識別情報であるユーザＩＤと、当該ユーザの名前と、当該ユーザの生年月日と、当該ユーザの顔認識用情報と、当該ユーザの自宅位置（緯度、経度、高度）とを含む。顔認識情報は、ユーザの顔の特徴を示す情報である。
【００３１】
新規タグ情報生成部１５６は、読み出した各ユーザ情報から顔認識用情報を抽出する。新規タグ情報生成部１５６は、抽出した各顔認識用情報と、画像データとに基づいて、画像データに対応する画像の被写体であるユーザを特定する。なお、例えば、景色のみが撮影された場合等、被写体が存在しない場合には、新規タグ情報生成部１５６は、被写体であるユーザを特定しない。
【００３２】
被写体であるユーザを特定した場合、新規タグ情報生成部１５６は、当該ユーザに対応するユーザ情報内の生年月日を抽出する。新規タグ情報生成部１５６は、抽出した生年月日と、現在の年月日とに基づいて、被写体であるユーザの年齢を算出する。
【００３３】
また、新規タグ情報生成部１５６は、既存タグ情報であるジオタグで示される緯度、経度及び高度に対応する施設と、当該施設において、既存タグ情報である日時において行われたイベントを特定する。
【００３４】
図４は、記憶部１２０内のランドマーク・イベント情報ＤＢ１２４に記憶されているランドマーク・イベント情報の一例を示す図である。図４に示すランドマーク・イベント情報は、施設ごとに用意されており、当該施設の緯度、経度及び高度と、当該施設の施設名称とを含む。また、ランドマーク・イベント情報は、イベント日時と、当該イベント日時に当該施設で行われるイベントの名称とを含む。制御部１００は、例えば、インターネットにおける検索等により、ランドマーク・イベント情報ＤＢ１２４を随時更新する。
【００３５】
新規タグ情報生成部１５６は、ランドマーク・イベント情報のうち、緯度、経度及び高度が、既存タグ情報であるジオタグで示される緯度、経度及び高度と一致する、あるいは、近似する（例えば、数メートルの差である）ランドマーク・イベント情報が存在するか否かを判定する。緯度、経度及び高度が、既存タグ情報であるジオタグで示される緯度、経度及び高度と一致する、あるいは、近似するランドマーク・イベント情報は、画像データに対応する画像が撮影された位置に存在する施設に対応するランドマーク・イベント情報（撮影位置対応ランドマーク・イベント情報）である。
【００３６】
撮影位置対応ランドマーク・イベント情報が存在する場合、新規タグ情報生成部１５６は、当該撮影位置対応ランドマーク・イベント情報に含まれるイベント日時のうち、既存タグ情報である撮影日時と重複するものが存在するか否かを判定する。既存タグ情報である撮影日時と重複するイベント日時が存在する場合、新規タグ情報生成部１５６は、新規タグ情報生成部１５６は、撮影位置対応ランドマーク・イベント情報に含まれる施設名称と、既存タグ情報である撮影日時と重複するイベント日時に対応するイベント名称とを抽出する。抽出された施設名称は、画像データに対応する画像が撮影された位置に存在する施設の名称であり、抽出されたイベント名称は、撮影日時において、当該施設で行われていたイベントの名称である。
【００３７】
次に、新規タグ情報生成部１５６は、既存タグ情報である撮影日時、既存タグ情報であるジオタグ、被写体であるユーザの名前、被写体であるユーザの生年月日、被写体であるユーザの年齢、画像に含まれる文字列、被写体であるユーザの自宅位置、画像のシーン、施設名称及びイベント名称の各種情報のうち、上述した処理によって取得できた情報に基づいて、新規タグ情報を生成する。
【００３８】
図５は、新規タグ情報の生成の一例を示す図である。
【００３９】
図５（ａ）の場合、新規タグ情報生成部１５６は、既存タグ情報である撮影日時「４月５日」、既存タグ情報であるジオタグ、被写体であるユーザの名前「花子」、被写体であるユーザの生年月日「２００４．０６．１２」、被写体であるユーザの年齢「６」、撮影位置の施設名称「○○小学校」を取得する。この場合、新規タグ情報生成部１５６は、既存タグ情報である撮影日時が「４月５日」、被写体であるユーザの年齢が「６」、撮影位置の施設名称が「○○小学校」であることから、対応する画像データが小学校の入学式に関連するものであると推定する。更に、新規タグ情報生成部１５６は、推定結果に応じた新規タグ情報「小学校入学式」を生成する。なお、新規タグ情報生成部１５６は、上述の推定を行わずに、撮影位置の施設名称である「○○小学校」を新規タグ情報として生成してもよい。
【００４０】
図５（ｂ）の場合、新規タグ情報生成部１５６は、既存タグ情報である撮影日時「８月８日」、既存タグ情報であるジオタグ、撮影位置の施設名称「○○川」、撮影日時のイベント「花火大会」を取得する。この場合、新規タグ情報生成部１５６は、撮影位置の施設名称「○○川」と撮影日時のイベント「花火大会」とを組み合わせた新規タグ情報「○○川花火大会」を生成する。
【００４１】
図５（ｃ）の場合、新規タグ情報生成部１５６は、既存タグ情報である撮影日時「１２時」、既存タグ情報であるジオタグ、撮影位置の施設名称「○○亭」を取得する。この場合、新規タグ情報生成部１５６は、撮影日時が「１２時」、撮影位置の施設名称「○○亭」であることから、対応する画像データがランチに関連するものであると推定する。更に、新規タグ情報生成部１５６は、推定結果に応じた新規タグ情報「○○亭ランチ」を生成する。なお、新規タグ情報生成部１５６は、上述の推定を行わずに、撮影位置の施設名称である「○○亭」を新規タグ情報として生成してもよい。
【００４２】
図５（ｄ）の場合、新規タグ情報生成部１５６は、既存タグ情報である撮影日時「１月１日」、既存タグ情報であるジオタグ、画像に含まれる文字列「おみくじ」を取得する。この場合、新規タグ情報生成部１５６は、既存タグ情報である撮影日時が「１月１日」、画像に含まれる文字列が「おみくじ」であることから、対応する画像データが初詣に関連するものであると推定する。更に、新規タグ情報生成部１５６は、推定結果に応じた新規タグ情報「初詣」を生成する。
【００４３】
図５（ｅ）の場合、新規タグ情報生成部１５６は、既存タグ情報である撮影日時「１０月２０日」、既存タグ情報であるジオタグ、被写体であるユーザの名前「太郎」、被写体であるユーザの生年月日「２０１０．１０．０１」、被写体であるユーザの年齢「０」を取得する。この場合、新規タグ情報生成部１５６は、既存タグ情報である撮影日時が「１０月１日」、被写体であるユーザの生年月日「２０１０．１０．０１」であることから、対応する画像データが生後２０日目に関連するものであると推定する。更に、新規タグ情報生成部１５６は、推定結果に応じた新規タグ情報「生後２０日」を生成する。
【００４４】
図５（ｆ）の場合、新規タグ情報生成部１５６は、既存タグ情報である撮影日時「８月」、既存タグ情報であるジオタグ、画像のシーン「海」、撮影位置の施設名称「○○海岸」を取得する。この場合、新規タグ情報生成部１５６は、既存タグ情報である撮影日時が「８月」、画像のシーンが「海」であることから、対応する画像データが海水浴に関連するものであると推定する。あるいは、新規タグ情報生成部１５６は、既存タグ情報である撮影日時が「８月」、撮影位置の施設名称が「○○海岸」であることから、対応する画像データが海水浴に関連するものであると推定する。更に、新規タグ情報生成部１５６は、推定結果に応じた新規タグ情報「海水浴」を生成する。
【００４５】
図５（ｇ）の場合、新規タグ情報生成部１５６は、既存タグ情報であるジオタグ、自宅位置を取得する。この場合、新規タグ情報生成部１５６は、ジオタグで示される撮影位置と、自宅位置との距離を算出し、当該距離が所定値以内である場合には、新規タグ情報「自宅近傍」を生成する。
【００４６】
図５（ｈ）の場合、新規タグ情報生成部１５６は、既存タグ情報であるジオタグを取得する。この場合、新規タグ情報生成部１５６は、ジオタグのうちの高度が所定値以上である場合には、新規タグ情報「飛行中」を生成する。
【００４７】
図５（ｉ）の場合、新規タグ情報生成部１５６は、３つの画像データについて、既存タグ情報である撮影日時とジオタグを取得する。この場合、新規タグ情報生成部１５６は、同一の撮影日時及び同一のジオタグに対応する画像データが所定数以上（例えば、３以上）存在する場合には、当該同一の撮影日時及び同一のジオタグに対応する画像データのそれぞれに対して、新規タグ情報「観光スポット」を生成する。
【００４８】
再び、図１に戻って説明する。新規タグ情報付与部１５８は、新規タグ情報生成部１５６によって生成された新規タグ情報を、画像データに付与する。具体的には、新規タグ情報付与部１５８は、図２に示す画像データのヘッダ部内のＥｘｉｆ領域に、新規タグ情報を書き込む。
【００４９】
（２）セットトップボックスの動作
図６は、セットトップボックス１０の動作を示すフローチャートである。
【００５０】
ステップＳ１０１において、セットトップボックス１０は、デジタルカメラから送信される画像データを受信し、記憶する。
【００５１】
ステップＳ１０２において、セットトップボックス１０は、画像データに含まれる既存タグ情報を抽出する。
【００５２】
ステップＳ１０３において、セットトップボックス１０は、画像認識処理を行い、被写体であるユーザの特定、画像データに対応する画像内の文字列の特定、画像データに対応する画像のシーンを特定する。
【００５３】
ステップＳ１０４において、セットトップボックス１０は、既存タグ情報、ユーザ情報、画像データに対応する画像内の文字列の特定、画像データに対応する画像のシーン、及び、ランドマーク・イベント情報に基づいて、新規タグ情報を生成する。
【００５４】
ステップＳ１０５において、セットトップボックス１０は、新規タグ情報を、画像データに付与する。
【００５５】
（３）作用・効果
本実施形態のセットトップボックス１０は、画像データに付与されている既存タグ情報を抽出し、当該既存タグ情報に関連する新規タグ情報を生成する。例えば、セットトップボックス１０は、既存タグ情報である撮影日時やジオタグに基づいて、撮影位置の施設において撮影日時に実施されたイベントを認識し、新規タグ情報の生成に利用する。また、セットトップボックス１０は、画像認識処理により、被写体であるユーザを認識し、当該ユーザの情報を、新規タグ情報の生成に利用する。更に、セットトップボックス１０は、新規タグ情報を画像データに付与する。従って、タグ情報の追加が容易になるとともに、タグ情報に基づく画像データの管理も容易になる。
【００５６】
（４）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００５７】
上述した実施形態では、セットトップボックス１０が、単体で、画像データからの既存タグ情報の抽出、新規タグ情報の生成、及び、画像データへの新規タグ情報の付加を行った。しかし、複数の装置が分担して処理を行うようにしてもよい。
【００５８】
図７は、コンテンツ管理システムの全体概略構成図である。図７に示すコンテンツ管理システムは、管理サーバ１１０、パーソナルコンピュータ（ＰＣ）１３０、ＰＣ１４０及びＰＣ１５０と、管理サーバ１１０及びＰＣ１３０乃至ＰＣ１５０を接続する通信ネットワーク１６０とにより構成される。
【００５９】
本実施形態のコンテンツ管理システムにおいては、管理サーバ１１０と、ＰＣ１３０乃至ＰＣ１５０とが、図１に示すセットトップボックス１０の制御部１００内の画像データ記憶処理部１５２、既存タグ情報抽出部１５４、新規タグ情報生成部１５６及び新規タグ情報付与部１５８の処理を分担して行う。
【００６０】
具体的には、ＰＣ１３０乃至ＰＣ１５０の制御部は、画像データ記憶処理部１５２、既存タグ情報抽出部１５４及び新規タグ情報付与部１５８の処理を備え、管理サーバ１１０の制御部は、新規タグ情報生成部１５６を備える。
【００６１】
この場合、ＰＣ１３０乃至ＰＣ１５０の制御部内の画像データ記憶処理部１５２は、画像データを受信し、ＰＣ１３０乃至ＰＣ１５０内の記憶部に記憶させる。
【００６２】
ＰＣ１３０乃至ＰＣ１５０の制御部内の既存タグ情報抽出部１５４は、記憶部に記憶された画像データから既存タグ情報を抽出する。更に、ＰＣ１３０乃至ＰＣ１５０の制御部内の既存タグ情報抽出部１５４は、既存タグ情報を、通信ネットワーク１６０を介して、管理サーバ１１０へ送信する。
【００６３】
管理サーバ１１０の制御部内の新規タグ情報生成部１５６は、既存タグ情報を受信すると、当該既存タグ情報に基づいて、新規タグ情報を生成する。更に、管理サーバ１１０の制御部内の新規タグ情報生成部１５６は、新規タグ情報を、通信ネットワーク１６０を介してＰＣ１３０乃至ＰＣ１５０へ送信する。
【００６４】
ＰＣ１３０乃至ＰＣ１５０の制御部内の新規タグ情報付与部１５８は、新規タグ情報を受信すると、当該新規タグ情報を画像データに付与する。
【００６５】
上述した実施形態では、コンテンツデータとしての画像データが用いられる場合について説明したが、音声データ、文書データ等の他のコンテンツデータが用いられる場合も、同様に本発明を適用できる。
【００６６】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【００６７】
１０…セットトップボックス、１００…制御部、１１０…通信部、１２０…記憶部、１２２…ユーザ情報ＤＢ、１２４…ランドマーク・イベントＤＢ、１５２…画像データ記憶処理部、１５４…既存タグ情報抽出部、１５６…新規タグ情報生成部、１５８…新規タグ情報付与部
【図１】
2012093991.tif 000003
【図２】
2012093991.tif 000004
【図３】
2012093991.tif 000005
【図４】
2012093991.tif 000006
【図５】
2012093991.tif 000007
【図６】
2012093991.tif 000008
【図７】
2012093991.tif 000009